(57)【特許請求の範囲】
【請求項１】
少なくとも２つのネットワークにわたるＯＦＤＭを使用する無線データ通信を容易にするための方法であって、
初期開始インターレース番号で開始する２つまたはそれより多くのインターレースを含む初期パイロット・グループ・スタガリング系列を受信することと、ここにおいて、前記初期パイロット・グループ・スタガリング系列は、時間の関数としてスタガする、
第１のネットワークに関する第１のインターレース開始位置を決定することと、前記第１のインターレース開始位置は、前記初期パイロット系列における第１のインターレース位置を示す、
前記初期パイロット・グループ・スタガリング系列と前記第１のインターレース開始位置に基づいて、前記第１のネットワークに関する第１の開始インターレース番号を決定することと、ここにおいて、前記第１の開始インターレース番号は、前記第１のインターレース開始位置により示される前記第１のインターレース位置内に位置する前記初期パイロット・グループ・スタガリング系列内のそれぞれのインターレースである、
前記第１のネットワークに適用するための第１のパイロット・スタガリング系列を生成するために一度目に前記初期パイロット・グループ・スタガリング系列を順番付けし直すことと、前記第１のパイロット・スタガリング系列は、前記第１の開始インターレース番号で開始する、
第２のネットワークに関する第２のインターレース開始位置を決定することと、前記第２のインターレース開始位置は、前記初期パイロット系列における第２のインターレース位置を示す、
前記初期パイロット・グループ・スタガリング系列と前記第２のインターレース開始位置に基づいて、前記第２のネットワークに関する第２の開始インターレース番号を決定することと、ここにおいて、前記第２の開始インターレース番号は、前記第２のインターレース開始位置により示される前記第２のインターレース位置内に位置する前記初期パイロット・グループ・スタガリング系列内のそれぞれのインターレースである、
前記第２のネットワークに適用するための第２のパイロット・スタガリング系列を生成して前記第１のネットワークにおいて適用される第１のパイロット信号と前記第２のネットワークにおける第２のパイロット信号との衝突を緩和するために二度目に前記初期パイロット・グループ・スタガリング系列を順番付けし直すことと、前記第２のパイロット・スタガリング系列は、前記第２の開始インターレース番号で開始する、
を備える方法。
【請求項２】
通信信号のフレームの第１のシンボルにおいて前記第１のパイロット・スタガリング系列を利用することをさらに備える、請求項１の方法。
【請求項３】
前記第１の開始インターレース番号または前記第２の開始インターレース番号のうちの少なくとも一方を決定するのを容易にするために少なくとも１つの通信システム・パラメータを用いることをさらに備える、請求項１の方法。
【請求項４】
前記少なくとも１つの通信システム・パラメータは、少なくとも１つのネットワーク識別（ＩＤ）を備える、請求項３の方法。
【請求項５】
前記第１のインターレース開始位置または前記第２のインターレース開始位置のうちの少なくとも一方を決定することは、前記初期パイロット・グループ・スタガリング系列の前記インターレースから前記第１のインターレース位置または前記第２のインターレース位置のうちの少なくとも一方を選択するためにランダム番号発生器を用いることをさらに備える、請求項１の方法。
【請求項６】
前記ランダム番号発生器は擬似ノイズ（ＰＮ）系列発生器を備える、請求項５の方法。
【請求項７】
前記擬似ノイズ（ＰＮ）系列発生器に導入する（seed）ために少なくとも１つのネットワーク識別（ＩＤ）を利用することをさらに備える、請求項６の方法。
【請求項８】
前記第１のインターレース開始位置または前記第２のインターレース開始位置のうちの少なくとも一方を決定することは、通信システム・パラメータに基づいて開始インターレース・オフセットを利用することをさらに備える、請求項１の方法。
【請求項９】
前記通信システム・パラメータは、ネットワーク識別（ＩＤ）を備える、請求項８の方法。
【請求項１０】
請求項１の方法を使用するマルチメディア通信システム。
【請求項１１】
ＯＦＤＭを使用する少なくとも２つのネットワークにわたる無線データ通信を容易にするシステムであって、
初期開始インターレース番号で開始する２つまたはそれより多くのインターレースを含む初期パイロット・グループ・スタガリング系列を受信する受信コンポーネントと、ここにおいて、前記パイロット・スタガリング系列は時間の関数としてスタガする、
第１のネットワークに関する第１のインターレース開始位置および第２のネットワークに関する第２のインターレース開始位置を決定する少なくとも１つのインターレース開始位決定コンポーネントと、各インターレース開始位置は、前記初期パイロット系列におけるインターレース位置を示す、
前記初期パイロット・グループ・スタガリング系列と前記第１のインターレース開始位置に基づいて、前記第１のネットワークに関する第１の開始インターレース番号を決定し、前記初期パイロット・グループ・スタガリング系列と前記第２のインターレース開始位置に基づいて、前記第２のネットワークに関する第２の開始インターレース番号を決定する少なくとも１つの開始インターレース番号決定コンポーネントと、ここにおいて、前記第１の開始インターレース番号は、前記第１のインターレース開始位置により示されるそれぞれのインターレース位置内に位置する前記初期パイロット・グループ・スタガリング系列内のそれぞれのインターレースであり、前記第２の開始インターレース番号は、前記第２のインターレース開始位置により示されるそれぞれのインターレース位置内に位置する前記初期パイロット・グループ・スタガリング系列内のそれぞれのインターレースである、
前記第１のネットワークに適用するための第１のパイロット・スタガリング系列を生成するために一度目に前記初期パイロット・グループ・スタガリング系列を順番付けし直し、前記第２のネットワークに適用するための第２のパイロット・スタガリング系列を生成して前記第１のネットワークにおいて適用される第１のパイロット信号と前記第２のネットワークにおいて適用される第２のパイロット信号との衝突の確率を低下するように二度目に前記初期パイロット・グループ・スタガリング系列を順番付けし直す少なくとも１つの系列決定コンポーネントと、
を備えるシステム。
【請求項１２】
前記系列決定コンポーネントは、前記第１の開始インターレース番号または前記第２の開始インターレース番号のうちの少なくとも一方を決定するのを容易にするために少なくとも１つの通信システム・パラメータを利用する、請求項１１のシステム。
【請求項１３】
前記通信システム・パラメータは、ネットワーク識別（ＩＤ）を備える、請求項１２のシステム。
【請求項１４】
前記系列決定コンポーネントは、前記第１のインターレース開始位置または前記第２のインターレース開始位置のうちの少なくとも一方を導出するのを容易にするためにランダム番号発生器を利用する、請求項１１のシステム。
【請求項１５】
前記ランダム番号発生器は、擬似ノイズ（ＰＮ）系列発生器で構成される、請求項１４のシステム。
【請求項１６】
前記系列決定コンポーネントは、前記擬似ノイズ（ＰＮ）系列発生器に導入するために少なくとも１つのネットワーク識別（ＩＤ）を利用する、請求項１５のシステム。
【請求項１７】
前記系列決定コンポーネントは、前記第１のインターレース開始位置または前記第２のインターレース開始位置のうちの少なくとも一方を決定するのを容易にするために、通信システム・パラメータに基づいて開始インターレース・オフセットを使用する、請求項１１のシステム。
【請求項１８】
前記通信システム・パラメータは、ネットワーク識別（ＩＤ）を備える、請求項１７のシステム。
【請求項１９】
請求項１１のシステムを使用するマルチメディア通信システム。
【請求項２０】
パイロット・キャリア信号干渉制限を排除するために請求項１１のシステムを使用するＯＦＤＭベース通信システム。
【請求項２１】
ＯＦＤＭを使用する無線データ通信を容易にする方法を実施するため命令を実行するマイクロプロセッサであって、前記方法は、
初期開始インターレース番号で開始する２つまたはそれより多くのインターレースを含む初期パイロット・グループ・スタガリング系列を受信することと、ここにおいて、前記初期パイロット・グループ・スタガリング系列は、時間の関数としてスタガする、
第１のネットワークに関する第１のインターレース開始位置を決定することと、前記第１のインターレース開始位置は、前記初期パイロット系列における第１のインターレース位置を示す、
前記初期パイロット・グループ・スタガリング系列と前記第１のインターレース開始位置に基づいて、前記第１のネットワークに関する第１の開始インターレース番号を決定することと、ここにおいて、前記第１の開始インターレース番号は、前記第１のインターレース開始位置により示される前記第１のインターレース位置内に位置する前記初期パイロット・グループ・スタガリング系列内のそれぞれのインターレースである、
前記第１のネットワークに適用するための第１のパイロット・スタガリング系列を生成するために一度目に前記初期パイロット・グループ・スタガリング系列を順番付けし直すことと、前記第１のパイロット・スタガリング系列は、前記第１の開始インターレース番号で開始する、
第２のネットワークに関する第２のインターレース開始位置を決定することと、前記第２のインターレース開始位置は、前記初期パイロット系列における第２のインターレース位置を示す、
前記初期パイロット・グループ・スタガリング系列と前記第２のインターレース開始位置に基づいて、前記第２のネットワークに関する第２の開始インターレース番号を決定することと、ここにおいて、前記第２の開始インターレース番号は、前記第２のインターレース開始位置により示される前記第２のインターレース位置内に位置する前記初期パイロット・グループ・スタガリング系列内のそれぞれのインターレースである、
前記第２のネットワークに適用するための第２のパイロット・スタガリング系列を生成して前記第１のネットワークにおいて適用される第１のパイロット信号と前記第２のネットワークにおける第２のパイロット信号との衝突を緩和するために二度目に前記初期パイロット・グループ・スタガリング系列を順番付けし直すことと、前記第２のパイロット・スタガリング系列は、前記第２の開始インターレース番号で開始する、
を備える、マイクロプロセッサ。
【請求項２２】
前記方法は、通信信号のフレームの第１のシンボルにおいて前記第１のパイロット・スタガリング系列を利用することをさらに備える、請求項２１のマイクロプロセッサ。
【請求項２３】
前記方法は、前記第１の開始インターレース番号または前記第２の開始インターレース番号のうちの少なくとも一方を決定するのを容易にするために少なくとも１つの通信システム・パラメータを用いることをさらに備える、請求項２１のマイクロプロセッサ。
【請求項２４】
前記通信システム・パラメータは、少なくとも１つのネットワーク識別（ＩＤ）を備える、請求項２３のマイクロプロセッサ。
【請求項２５】
前記第１のインターレース開始位置または前記第２のインターレース開始位置のうちの少なくとも一方を決定することは、前記初期パイロット・グループ・スタガリング系列の前記インターレースから前記第１のインターレース位置または前記第２のインターレース位置のうちの少なくとも一方を選択するためにランダム番号発生器を用いることをさらに備える、請求項２１のマイクロプロセッサ。
【請求項２６】
前記ランダム番号発生器は擬似ノイズ（ＰＮ）系列発生器を備える、請求項２５のマイクロプロセッサ。
【請求項２７】
前記方法は、前記擬似ノイズ（ＰＮ）系列発生器に導入するために少なくとも１つのネットワーク識別（ＩＤ）を利用することをさらに備える、請求項２６のマイクロプロセッサ。
【請求項２８】
前記第１のインターレース開始位置または前記第２のインターレース開始位置のうちの少なくとも一方を決定することは、通信システム・パラメータに基づいて開始インターレース・オフセットを利用することをさらに備える、請求項２５のマイクロプロセッサ。
【請求項２９】
少なくとも２つのネットワークにわたるＯＦＤＭを使用する無線データ通信を容易にするための方法であって、
初期パイロット・サブキャリア周波数グループ・スタガリング系列を得ること、前記初期パイロット・サブキャリア周波数グループ・スタガリング系列は、初期開始インターレース番号で開始する２またはそれより多くのインターレースを含み、前記パイロット・サブキャリア周波数スタガリング系列は、時間の関数としてスタガする、
前記初期パイロット・サブキャリア周波数グループ・スタガリング系列に少なくとも一部基づいて第１の開始インターレース番号を決定することと、
第１のネットワークに適用するための第１のパイロット・スタガリング系列を生成するために一度目に前記初期パイロット・サブキャリア周波数スタガリング系列を順番付けし直すことと、前記第１のパイロット・スタガリング系列は、前記第１の開始インターレース番号で開始する、
前記初期パイロット・サブキャリア周波数グループ・スタガリング系列に少なくとも一部基づいて第２の開始インターレース番号を決定することと、前記第２の開始インターレース番号は、前記第１の開始インターレース番号とは異なる、
第２のネットワークに適用するための第２のパイロット・スタガリング系列を生成して前記第１のネットワークにおいて適用される第１のパイロット信号と前記第２のネットワークにおける第２のパイロット信号との衝突を緩和するために二度目に前記初期パイロット・サブキャリア周波数グループ・スタガリング系列を順番付けし直すことと、前記第２のパイロット・スタガリング系列は、前記第２の開始インターレース番号で開始する、
ここにおいて、
前記第１の開始インターレース番号または前記第２の開始インターレース番号のうちの少なくとも一方を決定することは、前記初期パイロット・サブキャリア周波数グループ・スタガリング系列の前記インターレースからパイロット・インターレース開始番号を選択するためにランダム番号発生器を用いることを備え、
前記ランダム番号発生器は、擬似ノイズ（ＰＮ）系列発生器を備え、
前記擬似ノイズ（ＰＮ）系列発生器に導入するために少なくとも１つのネットワーク識別（ＩＤ）を利用することと、
を備える方法。
【請求項３０】
ＯＦＤＭを使用する少なくとも２つのネットワークにわたる無線データ通信を容易にするシステムであって、
初期開始インターレース番号で開始する２つまたはそれより多くのインターレースを含む初期パイロット・サブキャリア周波数グループ・スタガリング系列を受信する受信コンポーネントと、ここにおいて、前記パイロット・スタガリング系列は、時間の関数としてスタガする、
前記初期パイロット・サブキャリア周波数グループ・スタガリング系列に少なくとも一部基づいて、第１の開始インターレース番号および第２の開始インターレース番号を決定する少なくとも１つの開始インターレース番号決定コンポーネントと、ここにおいて、前記第２の開始インターレース番号は、前記第１の開始インターレース番号とは異なっている、
第１のネットワークに適用するための第１のパイロット・スタガリング系列を発生するために一度目に前記初期パイロット・サブキャリア周波数グループ・スタガリング系列を順序付けし直し、第２のネットワークに適用するための第２のパイロット・スタガリング系列を生成して前記第１のネットワークにおいて適用される第１のパイロット信号と第２のネットワークにおいて適用される第２のパイロット信号との衝突の確率を低下するように二度目に前記初期パイロット・サブキャリア周波数グループ・スタガリング系列を順序付けし直す少なくとも１つの系列決定コンポーネントと、
を備え、
ここにおいて、
前記系列決定コンポーネントは、前記第１の開始インターレース番号または前記第２の開始インターレース番号のうちの少なくとも一方を導出するのを容易にするためにランダム番号発生器を利用し、
前記ランダム番号発生器は、擬似ノイズ（ＰＮ）系列発生器を備え、
前記系列決定コンポーネントは、前記擬似ノイズ（ＰＮ）系列発生器に導入するために少なくとも１つのネットワーク識別（ＩＤ）を利用する、
システム。
【請求項３１】
ＯＦＤＭを使用する無線データ通信を容易にする方法を実施するため命令を実行するマイクロプロセッサであって、前記方法は、
初期パイロット・サブキャリア周波数グループ・スタガリング系列を得ること、前記初期パイロット・サブキャリア周波数グループ・スタガリング系列は、初期開始インターレース番号で開始する２またはそれより多くのインターレースを含み、前記パイロット・サブキャリア周波数スタガリング系列は、時間の関数としてスタガする、
前記初期パイロット・サブキャリア周波数グループ・スタガリング系列に少なくとも一部基づいて第１の開始インターレース番号を決定することと、
第１のネットワークに適用するための第１のパイロット・スタガリング系列を生成するために一度目に前記初期パイロット・サブキャリア周波数スタガリング系列を順番付けし直すことと、前記第１のパイロット・スタガリング系列は、前記第１の開始インターレース番号で開始する、
前記初期パイロット・サブキャリア周波数グループ・スタガリング系列に少なくとも一部基づいて第２の開始インターレース番号を決定することと、前記第２の開始インターレース番号は、前記第１の開始インターレース番号とは異なる、
第２のネットワークに適用するための第２のパイロット・スタガリング系列を生成して前記第１のネットワークにおいて適用される第１のパイロット信号と前記第２のネットワークにおける第２のパイロット信号との衝突を緩和するために二度目に前記初期パイロット・サブキャリア周波数グループ・スタガリング系列を順番付けし直すことと、前記第２のパイロット・スタガリング系列は、前記第２の開始インターレース番号で開始する、
ここにおいて、
前記第１の開始インターレース番号または前記第２の開始インターレース番号のうちの少なくとも一方を決定することは、前記初期パイロット・サブキャリア周波数グループ・スタガリング系列の前記インターレースからパイロット・インターレース開始番号を選択するためにランダム番号発生器を用いることを備え、
前記ランダム番号発生器は、擬似ノイズ（ＰＮ）系列発生器を備え、
前記擬似ノイズ（ＰＮ）系列発生器に導入するために少なくとも１つのネットワーク識別（ＩＤ）を利用することと、
を備える、マイクロプロセッサ。
【請求項３２】
コンピュータに、請求項１乃至９および２９のいずれか１つに記載の方法を実行させるプログラム。
【請求項３３】
コンピュータに、請求項１乃至９および２９のいずれか１つに記載の方法を実行させるプログラムが記録されたコンピュータ読み取り可能な記録デバイス。
【発明の詳細な説明】
【技術分野】
【０００１】
主題の発明は、一般にデータ通信に係り、特に無線通信システムのために先頭のパイロット周波数を選択するシステム及び方法に関する。
【背景技術】
【０００２】
通信することは、常に人類にとって主要な重大事であり続けている。近代技術の出現のはるか前に、音波は人間の声で情報を搬送するために利用されていた。しかしながら、このタイプの通信は、人間の肺の力によって著しく制限される。この問題を克服するために、ドラムのような音波生成デバイスが、通信距離を増加させるために人間の声の代わりに使用されていた。しかしながら、音波が人間の耳によって判断されるためには複数のパーティー間の距離が大きすぎるとき、通信は維持できなくなった。そのように、技術の進歩を通してこの限界を克服するために、大きな一歩がなされた。１つの解では、音波は、電気エネルギーに変換され、それは順に、最終目的地に電気配線を経由して伝送され、その後目的地で電気エネルギーは音波へと変換して戻された。電話は、この技術の１つのそのような例である。
【０００３】
この解が、通信距離を大きく増加させたという事実にも拘らず、それは同様に追加の付随する問題、すなわち、複数の通信点の間に電気信号を輸送するための電気配線の必要性、を導入した。電気配線は、多くの場合費用がかかり、そして広大な距離をカバーするためにそしてユーザ数の増加を取り扱うために非常に大きな量を必要とする。技術は、電流の代わりに光インパルスを搬送できる光ファイバ・ケーブルの開発を通して課題のあるものを解決しようと試みた。これは、同じ量の通信を輸送するために必要な電気配線の数を極端に減少させる。しかしながら、光ファイバは、価格の上昇をともない、そして光ファイバ・ネットワークを維持管理するための修繕のための費用及び熟練レベルの実質的な増加をともなう。
【０００４】
「通信すること」の１つの最初の考えは人間らしいタイプの情報交換であるが、コンピュータ時代の夜明けは、同様に、複数のコンピュータを一緒にリンクさせる必要性をもたらした。それゆえ、通信ネットワークは、人間の音声だけでなく、ディジタル化されたデータ（１とゼロに変換されたデータ）からなる情報も搬送することを要求される。事実、ある複数の技術は、人間の声を非常に離れた距離を越えてより効率的に輸送するために人間の声さえもディジタル化する。この要求は、一般的な通信ネットワークの仕事量を非常に増加させており、そして電気配線又はケーブル数の実質的な増加に追い込んだ。
【０００５】
大きな、有線通信ネットワークの問題を克服するために１つの外見上明白な方法は、電気配線を廃止し、そして“無線”通信システムを利用することである。この解は非常に容易に見えるが、無線通信を開発することは、一般的に複雑な課題である。ラジオのような初期の無線通信技術は、遠くの地域が離れた場所からの放送を受信することを可能にした。この“一方向”タイプの通信は、お知らせ（announcements）やニュースのような情報を広めるための強力な手段である。しかしながら、双方向通信又は２よりも多くの方向の通信さえを有することが、頻繁に望まれている。言い換えると、２又はそれより多くのパーティー間で、それらが人間であるか電子デバイスであるかに拘らず、「会話（conversation）」を行うことが、望まれる。これは、効率的に通信するために必要な無線信号の複雑さを非常に増加させる。
【０００６】
電話に対する無線技術の導入で、無線で通信しようと望んでいるパーティーのシーア（sheer）数は、実質的に増加している。無線電話機は、多機能デバイスへと開発された、それは音声通信だけでなく、データも同様に中継するように機能する。ある複数のデバイスは、同様にインターネットへのインターフェースに組み込まれていて、ユーザがワールド・ワイド・ウェブをブラウズすることそしてファイルをダウンロード／アップロードすることさえも可能にする。それゆえ、デバイスは、単純な音声デバイスから“マルチメディア”へと転換されてきており、それはユーザがサウンドだけでなく画像／映像も同様に受信／送信することを可能にする。すべてのこれらの追加されたタイプのメディアは、これらのメディア・サービスをサポートする通信ネットワークに対する要求をおびただしく増加させている。人又はデバイスがどのような場所に置かれているとしても「接続される」ことの自由度は、非常に魅力的でありそしてネットワーク要求における今後の増加をかりたて続けるであろう。
【０００７】
そのように、無線信号がその中で送られる「エアーウェーブ」は、ますます込み合うようになる。複雑な信号が、信号周波数を最大限に利用するために使用される。しかしながら、通信しているエンティティのシーア数のために、信号の「衝突」を避けることが、多くの場合十分ではない。衝突が発生するとき、受信エンティティは、信号を適正にインタープリットできないことがあり、そしてその信号に関係する情報を失うことがある。これは、通信ネットワークの効率をはなはだしく低下させ、情報が適正に受信される前に情報を複数回送ることを必要とする。最悪のケースでは、データが再送信できない場合に、データは完全に失われることがある。ネットワークが数百のユーザ又は数千のユーザさえも有する場合に、信号衝突の確率は、実質的に増加する。無線通信に対する需要は、減少することは無い。したがって、信号衝突も同様に増加するであろうし、既存の技術の有用さを低下させると仮定することは、妥当である。この種のデータ破損を回避することが可能な通信システムは、そのユーザに対して信頼性の向上及び効率の向上を提供することを可能にするであろう。
【発明の概要】
【０００８】
下記は、本発明の複数の態様の基本的な理解を提供するための簡単なサマリーを与える。このサマリーは、本発明の完璧な全体像ではない。それは、本発明のキーとなる要件／重大な要件を識別するように又は本発明の範囲を詳細に叙述するように意図されていない。その１つの目的は、後で与えられるより詳細な説明への前置きとして単純化した形式で本発明の複数の概念を与えることである。
【０００９】
本明細書中に説明されるシステム及び方法の複数の実施形態は、一般にＯＦＤＭを使用するデータ通信に係り、そして特に無線通信システムのために先頭のパイロット・サブキャリア周波数グループを選択するためのシステム及び方法に関する。
【００１０】
１つの特定の実施形態にしたがって、データ通信を容易にするための方法は、パイロット信号に対するパイロット・スタガリング系列を得ること、及び該パイロット信号と別のパイロット信号との衝突を緩和させるために該パイロット・スタガリング系列の順番をシフトさせることを含む。
【００１１】
１つの実施形態では、パイロットのランダム化された開始サブキャリア周波数グループは、フレームの最初の直交周波数分割多重化（ＯＦＤＭ）シンボルにおいて利用される。別の１つの実施形態では、開始パイロット・サブキャリア周波数グループ番号は、例えば、ネットワーク識別番号（ＩＤ）のような通信システム・パラメータによって導入（seed）された、例えば、擬似ノイズ（ＰＮ）系列発生器のようなランダム番号発生器を利用することによって決定される。このようにして、開始サブキャリア周波数グループは、その特定のネットワークに固有である。これは、複数のネットワーク・システムが実質的にパイロット干渉の可能性を実質的に減少させることによってエラーに強い通信を可能にし、受信品質及び交信可能範囲を改善する。（複数の）実施形態は、同様にさらにスケーリング可能なシステムを提供し、システム帯域幅が交信可能範囲と引き換えに手放されることを可能にする。１つの実施形態は、データ通信を容易にするための方法であり、それはパイロット信号に対するパイロット・スタガリング系列を取得し、そして該パイロット信号と別のパイロット信号との衝突を緩和させるために該パイロット・スタガリング系列の順番をシフトさせる。別の１つの実施形態は、システムであり、それは少なくとも１つのパイロット信号に対して少なくとも１つのパイロット・スタガリング系列を受信する受信コンポーネント、及び該パイロット信号と別のパイロット信号との衝突の確率を減少させるために該パイロット・スタガリング系列の順番をシフトさせる系列決定コンポーネントを利用することによってデータ通信を容易にする。
【００１２】
上記の目的及び関係する目的の実現のために、本発明のある種の例示の実施形態が、以下の説明及び添付された図面に関係して本明細書中に記載される。しかしながら、これらの実施形態は、本発明の原理がその中で使用されることができる様々な方法のうちのいくつかを示し、そして主題の発明は、全てのそのような実施形態及びそれらに等価なものを含むように意図される。
【図面の簡単な説明】
【００１３】
【図１】図１は、主題の発明の１つの実施形態にしたがってデータ通信を容易にするシステムのブロック図である。
【図２】図２は、主題の発明の１つの実施形態にしたがってデータ通信を容易にするシステムの別の１つのブロック図である。
【図３】図３は、主題の発明の１つの実施形態にしたがってデータ通信を容易にするシステムのさらに別の１つのブロック図である。
【図４】図４は、主題の発明の１つの実施形態にしたがって複数のエンティティのインターフェースとなるデータ通信を容易にするシステムのブロック図である。
【図５】図５は、主題の発明の１つの実施形態にしたがったネットワーク交信可能地域の図である。
【図６】図６は、主題の発明の１つの実施形態にしたがった全国的な及びローカルなフレーム・インターリービングの図である。
【図７】図７は、主題の発明の１つの実施形態にしたがったパイロット・スタガリング・パターンの一例である。
【図８】図８は、主題の発明の１つの実施形態にしたがったランダム化されたパイロット周波数インターレーシング構造の図である。
【図９】図９は、主題の発明の１つの実施形態にしたがってデータ通信を容易にする方法のフロー図である。
【図１０】図１０は、主題の発明の１つの実施形態にしたがってデータ通信を容易にする方法の別の１つのフロー図である。
【図１１】図１１は、主題の発明がその中で機能することが可能な一例の通信システム環境を図示する。
【詳細な説明】
【００１４】
主題の発明は、図面を参照してここに説明され、ここにおいて、類似の参照番号は、全体を通して類似の構成要素を呼ぶように使用される。以下の記載では、説明の目的のために、数多くの具体的な詳細が、主題の発明の完全な理解を提供するために記述される。しかしながら、主題の実施形態がこれらの具体的な詳細を用いずに実行され得ることは、明白であろう。別の事例において、周知の構造及びデバイスは、本実施形態を記述することを容易にするためにブロック図の形式で示される。この明細書中で使用されるように、用語“コンポーネント”は、エンティティ、ハードウェア、ソフトウェア、ハードウェアとソフトウェアとの組み合わせ、又は実行中のソフトウェアのいずれかを呼ぶように意図される。例えば、コンポーネントは、プロセッサ、プロセッサ上でランしているプロセス、及び／又はマルチプレクサ及び／又は別の信号促進デバイス及びソフトウェアであり得るが、これらに限定されない。
【００１５】
主題の実施形態及び対応するその開示にしたがって、様々な態様が、加入者局に関係して説明される。加入者局は、同様に、システム、加入者ユニット、移動局、移動体、遠隔局、アクセス・ポイント、基地局、遠隔端末、アクセス端末、ユーザ端末、ユーザ・エージェント、又はユーザ装置とも呼ばれることができる。加入者局は、無線電話機、コードレス電話機、セッション・イニシエーション・プロトコル（ＳＩＰ：Session Initiation Protocol）電話機、無線ローカル・ループ（ＷＬＬ：wireless local loop）局、個人ディジタル補助装置（ＰＤＡ：personal digital assistant）、無線接続能力を有するハンドヘルド・デバイス、又は無線モデムに接続された他の処理デバイスであり得る。
【００１６】
複数の無線ネットワーク間のパイロット信号干渉を緩和し、そして特に所定の伝送地域に対して非常に混み合いそして複雑な通信信号を一般的に有するマルチメディア通信システムを容易にするために特に適しているシステム及び方法が、提供される。パイロット信号は、通信データの適正な受信を容易にするために通信システムによって使用される。それらは、例えば、キャリア信号の検出、及び／又はゲイン制御設定を補助できる。一般に、パイロット信号は、予め決められたデータを包含し、それは通信システムがこの基準データに対して自分自身を調節することを可能にする。パイロット・スタガリング系列の開始状態をシフトさせることによって、異なるネットワークのパイロット信号間の衝突の確率を実質的に減少させ、これらの重要な信号の適正な受信を可能にする。
【００１７】
シフトさせることは、例えば、ＯＦＤＭベースのシステムのフレームの最初のシンボルにおいて実現されることができる。１つの実施形態では、ネットワークＩＤ及びその他のような通信システム・パラメータは、順番をシフトさせることを容易にするためにパイロット・スタガリング系列の開始状態を決定するためにＰＮ系列発生器を導入する（seed）ために使用されることができる。これは、異なるネットワーク間のパイロット衝突確率の低減を可能にし、無線システムの総合効率を大きく増加させ、受信品質及び／又は交信可能範囲を改善させる。（複数の）実施形態は、しかもさらにスケーリング可能なシステムを提供し、そこでは交信可能範囲を大きくするためにシステム帯域幅が削減されることができる。これは、変化するシステム要求を満足させるために必要に応じてシステムの最適化を可能にする。
【００１８】
通信システムは、広範囲に展開されて、音声、パケット・データ、その他のような様々な通信サービスを提供する。これらのシステムは、利用可能なシステム・リソースを分配することによって同時に複数のユーザとの通信をサポートすることが可能な時分割、周波数分割、及び／又は符号分割多元接続システムであり得る。そのような多元接続システムの例は、符号分割多元接続（ＣＤＭＡ：Code Division Multiple Access）システム、多重キャリアＣＤＭＡ（ＭＣ−ＣＤＭＡ：Multiple-Carrier CDMA）、広帯域ＣＤＭＡ（Ｗ−ＣＤＭＡ：Wideband CDMA）、高速ダウンリンク・パケット接続（ＨＳＤＰＡ：High-Speed Downlink Packet Access）、時分割多元接続（ＴＤＭＡ：Time Division Multiple Access）システム、周波数分割多元接続（ＦＤＭＡ：Frequency Division Multiple Access）システム、及び直交周波数分割多元接続（ＯＦＤＭＡ：Orthogonal Frequency Division Multiple Access）システムを含む。
【００１９】
（複数の）主題の実施形態は、ＯＦＤＭベースの通信システム及び他の同種のもので利用される。それゆえ、そのようなシステムの知識は、主題の発明のアプリケーションを理解することを容易にする。ＯＦＤＭ、すなわち多重キャリア変調は、複数のシステム間でデータを配信するために複数のサブキャリアを使用する。高速シリアル・データは、複数のより低い速度のサブ信号へと分割され、それはシステムが異なる周波数で並列に同時に伝送することが可能である。これは、高スペクトル効率、ＲＦ干渉に対するエラー強さ、及びより低い多重経路ひずみの低減を可能にする。ＯＦＤＭ直交特性は、サブチャネルが重なることを可能にし、そしてそれゆえ、スペクトル効率を増加させることを可能にする。したがって、ＯＦＤＭベースの無線システムは、例えば、高水準に飽和したＲＦ領域において利用されるマルチメディア・アプリケーションのような高帯域幅要求のアプリケーションを満足させることができる。
【００２０】
１つの無線規格では、ＯＦＤＭ物理層は、データ信号を５２個の別々のサブキャリアへと分割し、変化するレートでのデータの伝送を提供する。シンボルのグループすなわち“フレーム”は、各サブキャリア内で伝送される。シンボルは、輸送される必要がある少量のデータを包含する。一般的に、複数のサブキャリアのうちの４個は、パイロット・サブキャリアであり、伝送の間の信号周波数シフト及び／又は位相シフトを緩和するための基準としてシステムが使用する。システム内の各伝送ネットワークは、パイロット・サブキャリアを伝送することを要求され、データ伝送を正しく受信すること及びインタープリットすることを容易にする。パイロット情報が伝送されようとしているか否かに拘らず、パイロット・サブキャリアは、常に存在する。しかしながら、残りのサブキャリアは、システム要求にしたがってデータを伝送するためにオープンであり、そしてデータを含むこともあるし含まないこともある。一般に、複数のシンボルを含んでいるプリアンブル・フレームは、伝送され、その結果、受信機はそれを傍受することができ、そして着信ＯＦＤＭ信号を捕らえることを容易にするためにそしてその復調器を同期させるためにそれを利用できる。このようにして、ゲイン制御及びコース（course）キャリア信号周波数は、決定されそして精密に同調されることができ、受信機を調整することができる。工業規格が１つではなくそして専用（proprietary）規格及び非専用規格の両者が同様に存在するので、上記が一例であるだけであることは、注意されるべきである。
【００２１】
パイロット信号は、“パイロット・スタガリング系列”を形成するサブキャリア周波数グループの（分解能を向上させるために）スタガされた系列から一般に構成される。そのようなサブキャリア周波数グループの好ましい実施形態は、“インターレース”と呼ばれる。すなわち、ＯＦＤＭシンボルのサブキャリアは、０からＩ−１までインデックスされたＩ個のインターレースへとさらに分割される。各インターレースは、Ｐ個のサブキャリアから構成され、そこではサブキャリアは周波数でＩ×Δｆ離れて間を空けられ、Δｆはサブキャリア間隔である。そのように、例えば、８個のインターレースが存在する場合に、パイロット・インターレースのセットは、任意の決められた順番で、これらの８個のインターレースから選択された８個のスタガされたインターレースから構成されることが可能である。任意の所定の瞬間におけるインターレースは変更できるのではあるが、変更の順番、又はスタガは、一定のままである。これは、２つのネットワークが同じパイロット・スタガリング系列を使用する場合に、それらが結局は実質的に同じ瞬間において所定のインターレース周波数へ変更する、すなわち“ホップする”であろうことを、意味する。そのように、パイロット・スタガリング系列内でインターレースを変更するにも拘らず、２つのネットワークは、互いのパイロット信号とまだ干渉するであろう。したがって、パイロット・スタガリング系列の開始インターレースを変えることによってこの信号干渉を緩和するための手段が、提供される。これは、パイロット・インターレースが前のようにスタガすることを可能にするが、同じパイロット・スタガリング系列を用いて動作しているネットワークと同期しないインターレースをスタガさせるであろう確率を増加させる。
【００２２】
図１において、１つの実施形態にしたがってデータ通信を容易にするシステム１００のブロック図が、示される。通信を容易にするシステム１００は、パイロット・スタガリング系列決定コンポーネント１０２を備える。それ１０２は、スタガリング系列入力１０４を受け取り、そしてスタガリング系列出力１０６を与える。スタガリング系列出力１０６は、パイロット信号干渉を緩和させることを容易にするように強められてきている。パイロット・スタガリング系列決定コンポーネント１０２は、同様にオプションのデータ・システム情報１０８を利用することができ、スタガリング系列出力１０６を決定することを容易にする。このようにして、特定のネットワークに固有の通信システム・パラメトリック・データは、スタガリング系列出力１０６がそのネットワークに対して実質的に唯１つになるように使用されることが可能である。
【００２３】
例えば、スタガリング系列がインターレース２，１，５，及び６から構成される場合に、可能な開始インターレース選択は、スタガリング系列のうちの４つのインターレースに限定される。これは、最大４個までのネットワークが異なる開始インターレース、すなわち２，１，５，又は６のいずれか、を有することを可能にし、パイロット信号干渉を実質的に減少させる。スタガリング系列パターンが同じであるが開始インターレースが変化するので、スタガリング系列は、複数のネットワーク間で同期せず、パイロット信号が干渉なしに受信されることができるより大きな確率を可能にするであろう。小さなスタガリング系列から開始系列のランダムな選択は、ネットワークの数が増加するにつれて重複する初期開始インターレースを生じさせる可能性がある。それゆえ、信号衝突の確率は、同一のスタガリング系列パターンを使用するネットワークに対してと同様に自然に増加するであろう。この確率は、スタガリング系列中のインターレースの数を増加させることによって減少させることが可能であり、その結果、同じ開始インターレースを使用する２つのネットワークの発生確率は、減少する。あるネットワークに対して固有のパラメトリック・データを利用することによって、確率を同様にさらに減少させることが可能である。これは、特定のネットワーク及び／又はネットワークのグループに関係する開始系列を作り、２つのネットワークが同じ開始インターレース及びスタガリング系列を有する確率を減少させる。
【００２４】
図２を参照して、主題の発明の１つの実施形態にしたがってデータ通信を容易にするシステムの別の１つのブロック図が、図示される。データ通信を容易にするシステム２００は、パイロット・スタガリング系列決定コンポーネント２０２を備える。パイロット・スタガリング系列決定コンポーネント２０２は、系列受信コンポーネント２０４、初期インターレース決定コンポーネント２０６、及びスタガリング系列再生器（regenerator）２０８を備える。系列受信コンポーネント２０４は、初期パイロット・スタガリング系列２１０を受け取り、そしてそれ２１０を初期インターレース決定コンポーネント２０６へ伝達する。初期インターレース決定コンポーネント２０６は、初期パイロット・スタガリング系列２１０に基づいて新しい開始インターレース番号を決定する。初期インターレース決定コンポーネント２０６は、新しい開始インターレース番号を決定する際にオプションのネットワーク情報２１４を同様に利用することができる。スタガリング系列再生器２０８は、新しい開始インターレース番号を初期パイロット・スタガリング系列２１０とともに受け取り、そして新しい開始インターレース番号を利用して再初期化されたパイロット・スタガリング系列２１２を発生する。パイロット・スタガリング系列決定コンポーネント２０２のある複数の機能性が別のコンポーネントの中に存在することができることを、当業者は、認識することができる。そのように、例えば、系列受信コンポーネント２０４は、パイロット・スタガリング系列決定コンポーネント２０２の外部であり得る、及び／又は初期インターレース決定コンポーネント２０６中に直接組み込まれることができる。
【００２５】
例えば、初期パイロット・スタガリング系列２１０が（２，４，３，０，１）でありそして新しい開始インターレース番号が“３”になるように初期インターレース決定コンポーネント２０６によって選択される場合に、可能である再初期化されたパイロット・スタガリング系列は、（３，０，１，２，４）であり得る。“３”の選択は、初期インターレース決定コンポーネント２０６によるランダム処理であり得る、及び／又はそれはネットワーク情報２１４でバイアスされたランダム処理及び／又はネットワーク情報２１４に基づいて予め決められたオフセット値であり得る。例えば、特定のネットワークは、偶数の値を付けられた開始インターレースだけに限定されることがあり、それゆえ、ランダムな選択の数を減少させる。ネットワーク情報２１４は、ネットワーク識別子、ネットワーク帯域幅、及び／又は他のネットワークに固有の及び／又は固有でない情報を含むことができるが、これらに限定されない。そのように、予め決められたオフセット値は、ネットワーク情報２１４に基づくことができ、新しい開始インターレース番号に影響を与える。例えば、ネットワークＩＤは、規格化されることができ、そして例えば、２の値だけオフセットされることがある。ネットワークＩＤが１００毎に増加する場合、ネットワークのセットは、１００，２００，３００、等のＩＤを有するはずである。規格化された値は、そのようにネットワークに対して１，２及び３の値を含むはずである。この値は、そのような例ではオフセットされることができ、その結果、１番目のネットワークは、（１＋２）＝３のインターレース開始位置を有し、２番目のネットワークは、（２＋２）＝４のインターレース開始位置を有し、そして３番目のネットワークは、（３＋２）＝５のインターレース開始位置を有する、等々である。初期パイロット・スタガリング系列２１０が、例えば、（２，１，０，５，７，６，４，３）である場合、１番目のネットワーク系列は、系列の位置３のインターレースで始まり、その結果新しい系列は（０，５，７，６，４，３，２，１）である。同様に、２番目のネットワークに対して、新しい系列は（５，７，６，４，３，２，１，０）であり、そして３番目のネットワークに対して、新しい系列は（７，６，４，３，２，１，０，５）である。同様の新しい系列の順番付けは、（例えば、ゼロのオフセットを有する）ネットワークに固有のＩＤに無関係に各新しいネットワークを増加させることによって実現されることができる。主題の発明の柔軟性が数多くのさらなる方法を可能にし、開始インターレース番号の選択に影響を与え、そして本発明のスコープの範囲内になることを、当業者は認識するであろう。
【００２６】
図３に転じると、主題の発明の１つの実施形態にしたがってデータ通信を容易にするシステム３００のさらに別の１つのブロック図が図示される。データ通信を容易にするシステム３００は、初期インターレース決定コンポーネント３０２を備える。初期インターレース決定コンポーネント３０２は、擬似ノイズ（ＰＮ）系列発生器３０４を備え、それはインターレース系列情報３０６を受け取りそしてランダム初期インターレース３０８を与える。ＰＮ系列発生器は、オプションのネットワークＩＤ３１０のようなネットワーク情報を受け取ることができる。これは、ＰＮ系列発生器３０４によって提供されるランダム選択プロセスがネットワークに固有の情報により導入されることを可能にし、任意の２つのネットワークがそれらのパイロット信号に対して同じ開始インターレース番号を有するであろう確率を減少させ、実質的にパイロット信号干渉を減少させる。ランダム初期インターレース３０８は、通信システムによって使用されることができ、パイロット信号干渉を減少させることを容易にするためにそれらのパイロット・スタガリング系列を強める。
【００２７】
図４を見ると、主題の発明の１つの実施形態にしたがって複数のエンティティをインターフェースするデータ通信を容易にするシステム４００のブロック図が示される。データ通信を容易にするシステム４００は、パイロット・スタガリング系列決定コンポーネント４０２及びエンティティ１−Ｎ  ４０４−４０８を備える、ここで、Ｎは１から無限大までの整数を表す。エンティティ１−Ｎ  ４０４−４０８は、ネットワーク及びその他を含むことができるが、これに限定されない。この実施形態では、パイロット・スタガリング系列決定コンポーネント４０２は、パイロット・スタガリング系列を発生しそしてエンティティ１−Ｎ  ４０４−４０８に指示する。発生された系列は、バイアスされたランダムな系列、予め決められたオフセット系列、及び／又は両者の組み合わせを含むことができる。このようにして、パイロット・スタガリング系列決定コンポーネント４０２がエンティティ１−Ｎ  ４０４−４０８の間でいずれかの衝突するパイロット・スタガリング系列を排除しようと試みることが可能であるという理由で、パイロット信号干渉は、実質的に低減されることができる。パイロット・スタガリング系列決定コンポーネント４０２は、エンティティ１−Ｎ  ４０４−４０８の外部に存在することができる、及び／又はエンティティ１−Ｎ  ４０４−４０８のうちの１又はそれより多くの内部に存在することができる。パイロット・スタガリング系列決定コンポーネント４０２とエンティティ１−Ｎ  ４０４−４０８との間の通信は、無線通信及び／又は有線通信を含むことができるが、これらに限定されない。
【００２８】
予め決められた系列をバイアスすることを利用するパイロット・スタガリング系列決定コンポーネント４０２の自律的な実施形態は、同様に複数のエンティティ１−Ｎ  ４０４−４０８中に存在することができる。それゆえ、予め決められた開始インターレース・オフセットは、公知のそして予測可能な方法でパイロット・スタガリング系列を強くするために利用されることができ、パイロット信号の制限を緩和する。これは、パイロット・スタガリング系列決定コンポーネント４０２と別の干渉する可能性があるエンティティとの間の通信が実行可能でないときでさえも、最適なパイロット信号干渉低減を可能にする。
【００２９】
ＯＦＤＭ同報通信システムに関して、送信機は、広い地理的な領域、例えば、大陸のアメリカ合衆国、全体にわたり、典型的に約６０ｋｍの間隔で分散されると仮定される。伝送は、低い方の７００ＭＨｚ（ＶＨＦ）帯域のＲＦ周波数において６ＭＨｚ帯域幅で生じ、そして２つのカテゴリー：（ａ）全国的、それは広い交信可能地域にわたり共通である、（ｂ）ローカル、それは小地域において関心がある、にクラス分けされることができる。そのように、別のネットワークに属しているコンテントは、複数の送信機の間で異なることがあり、隣接する伝送は、互いに干渉することがある。
【００３０】
上記の観測は、ネットワーク・トポロジー５００の一例を示す図５に説明される。全国とローカルの２つのタイプのネットワーク送信機が示される。全国的プログラム１  ５０２及び２  ５０４は、それぞれ、全国的な交信可能地域１  ５０２及び２  ５０２内の“Ｔｘ”とマークされた全ての送信機によって伝送され、そして最も外側の交信可能範囲外形線内の地域において受信される。ローカル・プログラムＡ，Ｂ，Ｃは、それぞれ、ローカルな交信可能地域Ａ  ５０６、Ｂ  ５０８及びＣ  ５１０内で伝送され、そして最も外側の交信可能範囲外形線内の地域において受信される。各ローカル地域５０６−５１０の範囲内で、送信機は、同じローカル・プログラムを伝送する。しかしながら、２つの異なるタイプの交信可能地域間の領域では、例えば、別の全国的ネットワークに属する又は別のローカル・ネットワークに属する２つの送信機間の領域では、伝送は干渉し、結果として対応する交信可能地域内に“穴／隙間”を生じさせる可能性が大きい。
【００３１】
ある複数のＯＦＤＭシステムに関して、全国的プログラム及びローカル・プログラムは、図６に示されたように時分割多重化（ＴＤＭ：time division multiplexing）方式６００で伝送される。その結果、全国的な伝送及びローカルな伝送が異なる時間フレームにおいて伝送されるので、それらは互いに干渉しない。しかしながら、別のネットワークに属している全国的な伝送又はローカルな伝送は、互いに干渉し、交信可能地域の間に穴／隙間を作り出すであろう。例えば、１つの無線通信システムでは、周波数は８個のインターレースに分割される。パイロット及びデータは、別のインターレースにおいて伝送される。（２、６）パイロット・スタガリング・パターンに関して、パイロットはＯＦＤＭシンボル間で交互にインターレース２とインターレース６で伝送される。（０，３，６，．．．）パターンに関して、パイロットは、インターレース０，３，６，１，４，７，２，５において伝送され、そしてＯＦＤＭシンボル間で繰り返される。図７は、２つの例のパイロット・スタガリング・パターンを用いてフレームの始めにおいて同じ周波数インターレースを利用する構造７００を図示する。
【００３２】
この構造７００の下で、任意のＯＦＤＭシンボル時間において、パイロットは、同じインターレースで伝送され、データが全てのネットワークに対して伝送される。したがって、別のネットワークからの複数のパイロット間の衝突の確率は、１００％である。パイロットが常に存在することに注意する。しかしながら、これはデータに対するケースではない、すなわち、スケジューラの不完全さのために又はデータの少量のローディングのために、データを別にして全てのインターレース・セットが、必ずしもデータにより利用されるのではなく、結果として、時々インターレースが埋められないことになる。ネットワーク伝送のこれらの埋められていないインターレースは、別のネットワークのデータ・インターレースに対する“余裕”を作り出す。しかしながら、パイロットは、システム・データ・ローディングに拘らず最大の干渉を常に蒙る。例えば、図７に示された（２，６）のスタガリングのケースに関して、フレームｎの時間１において、ネットワーク１及びネットワーク２に対するパイロット・インターレースは、両方とも６であり、したがって、両方のネットワークに対するパイロットは、互いに干渉する。しかしながら、フレームｎの時間１においてネットワーク１によって利用されるインターレースのうちの幾つかは、スケジューリング及びシステム・ローディングに応じてネットワーク２によって利用されないことがあり、それゆえ、ネットワーク２から何も干渉を受けない。パイロットとデータとの間のアンバランスは、この種の構造を結局「パイロット干渉で制限されたもの」にさせる、すなわち、システム・ローディングを減少させること（複数のネットワーク間の全体の干渉を減少させること）は、受信品質又は交信可能範囲を改善しない。
【００３３】
図８では、主題の発明の１つの実施形態にしたがったランダム化されたパイロット周波数インターレーシング構造８００の図が示される。主題の発明は、パイロットとデータとの間のアンバランスを減少させる。図８は、フレームの始めにおいてランダム・パイロット・インターレースを利用するパイロット構造８００を図示する。２つのパイロット・スタガリング・パターンが、例として示される。各フレームの始めにおいて、パイロット・スタガリング系列の開始インターレースは、ランダムに決定される、すなわち、パイロット・インターレース番号は、ネットワークＩＤ番号によって導入される、例えば、擬似ノイズ（ＰＮ：pseudo-noise）系列発生器、のようなランダム番号発生器によって決定される。次のＯＦＤＭシンボルに対するパイロット・インターレースは、スタガリング系列によって決定される。（２，６）スタガリング・パターンに関して、あるフレームの最初のＯＦＤＭシンボルのパイロット・インターレースは、インターレース２及びインターレース６からランダムに選択される。（０，３，６,…）スタガリング・パターンに関して、各フレームの最初のＯＦＤＭシンボルのパイロット・インターレースは、８個のインターレース、インターレース０からインターレース７まで、からランダムに選択される。これは、２つのネットワークのパイロット間の衝突の確率を減少させる。例えば、図８の（２，６）スタガリングのケースに関して、フレームｎの時間１において、ネットワーク１に対するパイロット・インターレースは、２であり、ネットワーク２は６である。ネットワーク１のインターレース２は、そのＯＦＤＭシンボルに対するデータによって埋められないことがあり、したがって、ネットワーク１に対するパイロットは、そのＯＦＤＭシンボルに対してネットワーク２から干渉を受けないことがある。それゆえ、パイロットは、データのように干渉ブレーク（break：中断）を利用することができる。これは、パイロットとデータとの間のバランスを効果的に改善し、そしてその結果、受信品質及び／又は交信可能範囲を改善する。これは、同様にシステムをさらにスケーリング可能にする、すなわち、システム・バンド幅が交信可能範囲と引き換えに手放されることが可能である。すなわち言い換えると、システム・ローディングは、交信可能範囲を大きくするために低下されることが可能である。
【００３４】
上に示されそして説明された具体例のシステムを考慮して、主題の発明にしたがって実行されることができる方法は、図９−１０のフローチャートを参照してより良く認識されるであろう。説明の簡単さの目的のために、方法が一連のブロックとして示されそして説明されるが、主題の発明にしたがってある複数のブロックは本明細書中に示されそして説明されたものとは別の順番で及び／又は別のブロックと同時に起きることがあるので、主題の発明はブロックの順番によって限定されないことが理解されるはずでありそして認識されるはずである。そのうえ、図示された全てのブロックが、主題の発明にしたがった方法を実行するために必ずしも必要とされないことがある。
【００３５】
図９では、主題の発明の１つの実施形態にしたがってデータ通信を容易にする方法９００のフロー図が示される。方法９００は、パイロット・スタガリング系列９０４を得ることによって始まる９０２。パイロット・インターレース開始番号は、それからパイロット・スタガリング系列のインターレースに基づいて決定される９０６。決定は、ランダムな選択プロセス及び／又は予め決められた選択プロセスに基づくことが可能である。ランダムな選択プロセスは、しかも通信システム・パラメータ及びその他によって導入されることができ、２つのネットワークに対して類似のパイロット・スタガリング系列を発生させることの確率をさらに減少させる。予め決められた選択プロセスは、しかも同様に通信システム・パラメータを使用することも可能である。これは、自動化された決定が、例えば、特定のシステム内のネットワークが互いに干渉しない最大の確率を有するように実行されることを可能にする。このタイプの選択システムは、確率方程式を最大にすることによって組み立てられることが可能であり、確率方程式は、パイロット・スタガリング系列からの利用可能なインターレースに、そして各ネットワークの開始インターレースをオフセットする予め決められた方法に基づくことができる。オフセットそれ自身は、予め決められることができる及び／又は通信システム・パラメータにバイアスされることができる。パイロット・インターレース開始番号は、それからパイロット・スタガリング系列を再初期化するために利用され９０８、フローを終了する９１０。このようにして、干渉の無い高い確率を有するさらなる系列が、ネットワークに対して及び／又はネットワークのセットに対して発生される。通信が、システム内の複数のネットワーク間で利用可能である場合に、干渉の無いことのより高い確率は、各ネットワークが異なる開始インターレースを有することを確実にすることによって作られることが可能である。
【００３６】
図１０を参照して、主題の発明の１つの実施形態にしたがってデータ通信を容易にする方法１０００の別の１つのフロー図が図示される。方法１０００は、パイロット周波数インターレース情報を得ること１００４によって始まる１００２。パイロット周波数インターレース情報は、パイロット・スタガリング系列を作るインターレースの一覧表を含むことが可能である。パイロット周波数インターレース情報に関係するネットワークＩＤは、次に同様に得られる１００６。追加の通信システム及び／又はネットワーク・パラメータは、主題の発明によって同様に利用されることが可能である。ネットワークＩＤによって導入されたＰＮ系列発生器のようなランダム発生器は、それからパイロット・インターレース情報に基づいてランダムな初期インターレース番号を発生させるために使用され１００８、フローを終了する１０１０。先頭の又は開始インターレース番号は、その後、通信システムによって使用されることができ、それらのパイロット・スタガリング系列を強めることによってパイロット信号干渉の確率を減少させる。
【００３７】
図１１は、主題の発明がそれを用いて情報交換することが可能な見本の通信システム環境１１００のブロック図である。システム１１００は、さらに２つの代表する通信システムＡ１１０２及びＢ１１０４を図示する。システムＡ１１０２とＢ１１０４との間の１つの可能な通信は、２又はそれより多くの通信システムの間で伝送されることに適応するデータ・パケットの形式であり得る。システム１１００は、通信フレームワーク１１０６を含み、それは通信システムＡ１１０２と通信システムＢ１１０４との間の通信を容易にするために使用されることができる。
【００３８】
１つの実施形態では、データ通信を容易にする２又はそれより多くの通信システム・コンポーネントの間で伝送されるデータ・パケットは、少なくとも一部が、パイロット信号衝突を緩和するために選択された初期パイロット・スタガリング系列インターレースに関係する情報を備える。
【００３９】
上に説明されてきたものは、主題の発明の複数の例を含む。当然のことながら、主題の発明を説明する目的のために全ての考え得るコンポーネントの組み合わせ又は方法の組み合わせを記述することは不可能であるが、主題の発明の複数のさらなる組み合わせ及び置き換えが可能であることを、当業者は認識できる。したがって、主題の発明は、添付された特許請求の範囲の精神及びスコープの範囲内になる全てのそのような代替物、変更及び変形を包含するように意図されている。その上、用語“含む（include）”が詳細な説明又は特許請求の範囲において使用される限り、“具備する（comprising）”が特許請求の範囲においてつなぎの用語として使用されるときに解釈されるように、そのような用語は、用語“具備する”と同様に、ある意味で包括的であるように意図される。
下記に本願出願時の請求項１−４４に対応する記載が付記１−４４として表記される。
付記１
データ通信を容易にするための方法、該方法は下記を具備する：
パイロット信号に対するパイロット・スタガリング系列を得ること；及び
該パイロット信号と別のパイロット信号との衝突を緩和させるために該パイロット・スタガリング系列の順番をシフトさせること。
付記２
付記１の方法、該方法は下記をさらに具備する：
通信信号のフレームの最初のシンボルにおいて該パイロット・スタガリング系列の該シフトされた順番を利用すること。
付記３
付記１の方法、ここにおいて、該パイロット・スタガリング系列の該順番をシフトさせることは下記を備える：
該パイロット・スタガリング系列のインターレースに基づいてパイロット・インターレース開始番号を決定すること；及び
該パイロット・スタガリング系列に対する初期インターレースとして該パイロット・インターレース開始番号を使用すること。
付記４
付記３の方法、該方法は下記をさらに具備する：
該パイロット・インターレース開始番号を決定する際に容易にするために少なくとも１つの通信システム・パラメータを使用すること。
付記５
付記４の方法、ここにおいて、該通信システム・パラメータは、少なくとも１つのネットワーク識別番号（ＩＤ）を備える。
付記６
付記３の方法、ここにおいて、該パイロット・インターレース開始番号を決定することは下記を備える：
該パイロット・スタガリング系列の該インターレースから該パイロット・インターレース開始番号を選択するランダム番号発生器を使用すること。
付記７
付記６の方法、ここにおいて、該ランダム番号発生器は、擬似ノイズ（ＰＮ）系列発生器を備える。
付記８
付記７の方法、該方法は下記をさらに具備する：
該擬似ノイズ（ＰＮ）系列発生器を導入するために少なくとも１つのネットワーク識別番号（ＩＤ）を利用すること。
付記９
付記３の方法、ここにおいて、該パイロット・インターレース開始番号を決定することは下記を備える：
通信システム・パラメータに基づいて予め決められた開始インターレース・オフセットを利用すること。
付記１０
付記９の方法、ここにおいて、該通信システム・パラメータは、ネットワーク識別番号（ＩＤ）を備える。
付記１１
付記１の該方法を使用するマルチメディア通信システム。
付記１２
データ通信を容易にするシステム、該システムは下記を具備する：
少なくとも１つのパイロット信号に対して少なくとも１つのパイロット・スタガリング系列を受信する受信コンポーネント；及び
該パイロット信号と別のパイロット信号との衝突の確率を減少させるために該パイロット・スタガリング系列の順番をシフトさせる系列決定コンポーネント。
付記１３
付記１２のシステム、ここにおいて、該系列決定コンポーネントは、該シフトされたパイロット・スタガリング系列を順番に並べることを容易にするために該パイロット・スタガリング系列のインターレースから導出された開始インターレース番号を使用する。
付記１４
付記１３のシステム、ここにおいて、該系列決定コンポーネントは、該開始インターレース番号を決定することを容易にするために少なくとも１つの通信システム・パラメータを利用する。
付記１５
付記１４のシステム、ここにおいて、該通信システム・パラメータは、ネットワーク識別番号（ＩＤ）を備える。
付記１６
付記１３のシステム、ここにおいて、該系列決定コンポーネントは、該開始インターレース番号を導出することを容易にするためにランダム番号発生器を利用する。
付記１７
付記１６のシステム、ここにおいて、該ランダム番号発生器は、擬似ノイズ（ＰＮ）系列発生器を備える。
付記１８
付記１７のシステム、ここにおいて、該系列決定コンポーネントは、該擬似ノイズ（ＰＮ）系列発生器を導入するために少なくとも１つのネットワーク識別番号（ＩＤ）を利用する。
付記１９
付記１３のシステム、ここにおいて、該系列決定コンポーネントは、該開始インターレース番号を決定することを容易にするために通信システム・パラメータに基づいて予め決められた開始インターレース・オフセットを使用する。
付記２０
付記１９のシステム、ここにおいて、該通信システム・パラメータは、ネットワーク識別番号（ＩＤ）を備える。
付記２１
付記１２のシステムを使用するマルチメディア通信システム。
付記２２
パイロット・キャリア信号干渉制限を排除するために付記１２のシステムを使用するＯＦＤＭベースの通信システム。
付記２３
データ通信を容易にするシステム、該システムは下記を具備する：
少なくとも１つのパイロット信号に対して少なくとも１つのパイロット・スタガリング系列を受信するための手段；及び
該パイロット信号と別のパイロット信号との衝突を緩和させるために該パイロット・スタガリング系列の順番をシフトさせるための手段。
付記２４
付記２３のシステム、該システムは下記をさらに具備する：
該パイロット・スタガリング系列の該順番をシフトさせることを容易にするために通信システム・パラメータを使用するための手段。
付記２５
付記２３のシステム、該システムは下記をさらに具備する：
該パイロット・スタガリング系列の該シフトされた順番の開始をランダムに選択するための手段。
付記２６
付記２３のシステム、該システムは下記をさらに具備する：
該シフトされたパイロット・スタガリング系列を順番に並べることを容易にするために該パイロット・スタガリング系列のインターレースから導出された開始インターレース番号を使用するための手段。
付記２７
付記２６のシステム、該システムは下記をさらに具備する：
該開始インターレース番号を決定することを容易にするために少なくとも１つの通信システム・パラメータを利用するための手段。
付記２８
付記２７のシステム、ここにおいて、該通信システム・パラメータは、ネットワーク識別番号（ＩＤ）を備える。
付記２９
付記２６のシステム、該システムは下記をさらに具備する：
該開始インターレース番号を導出することを容易にするためにランダム番号発生器を利用するための手段。
付記３０
付記２９のシステム、ここにおいて、該ランダム番号発生器は、擬似ノイズ（ＰＮ）系列発生器を備える。
付記３１
付記３０のシステム、該システムは下記をさらに具備する：
該擬似ノイズ（ＰＮ）系列発生器を導入するために少なくとも１つのネットワーク識別番号（ＩＤ）を利用するための手段。
付記３２
付記２６のシステム、該システムは下記をさらに具備する：
該開始インターレース番号を決定することを容易にするために通信システム・パラメータに基づいて予め決められた開始インターレース・オフセットを利用するための手段。
付記３３
付記３２のシステム、ここにおいて、該通信システム・パラメータは、ネットワーク識別番号（ＩＤ）を備える。
付記３４
２又はそれより多くの通信コンポーネントの間で伝送され、データ通信を容易にするデータ・パケット、ここにおいて、該データ・パケットは、少なくとも一部がパイロット信号衝突を緩和させるために選択された初期パイロット・スタガリング系列インターレースに関係する情報を具備する。
付記３５
そこに記憶された付記１２のシステムのコンピュータ実行可能なコンポーネントを有するコンピュータ読み取り可能な媒体。
付記３６
データ通信を容易にするための方法を実行するための命令を実行するマイクロプロセッサ、該方法は下記を具備する：
パイロット信号に対するパイロット・スタガリング系列を得ること；及び
該パイロット信号と別のパイロット信号との衝突を緩和させるために該パイロット・スタガリング系列の順番をシフトさせること。
付記３７
付記３６の方法、該方法は下記をさらに具備する：
通信信号のフレームの最初のシンボルにおいて該パイロット・スタガリング系列の該シフトされた順番を利用すること。
付記３８
付記３６の方法、ここにおいて、該パイロット・スタガリング系列の該順番をシフトさせることは下記を備える：
該パイロット・スタガリング系列のインターレースに基づいてパイロット・インターレース開始番号を決定すること；及び
該パイロット・スタガリング系列に対する初期インターレースとして該パイロット・インターレース開始番号を使用すること。
付記３９
付記３８の方法、該方法は下記をさらに具備する：
該パイロット・インターレース開始番号を決定することを容易にするために少なくとも１つの通信システム・パラメータを使用すること。
付記４０
付記３９の方法、ここにおいて、該通信システム・パラメータは、少なくとも１つのネットワーク識別番号（ＩＤ）を備える。
付記４１
付記３８の方法、ここにおいて、該パイロット・インターレース開始番号を決定することは下記を備える：
該パイロット・スタガリング系列のインターレースから該パイロット・インターレース開始番号を選択するランダム番号発生器を使用すること。
付記４２
付記４１の方法、ここにおいて、該ランダム番号発生器は、擬似ノイズ（ＰＮ）系列発生器を備える。
付記４３
付記４２の方法、該方法は下記をさらに具備する：
該擬似ノイズ（ＰＮ）系列発生器を導入するために少なくとも１つのネットワーク識別番号（ＩＤ）を利用すること。
付記４４
付記３８の方法、ここにおいて、該パイロット・インターレース開始番号を決定することは下記を備える：
通信システム・パラメータに基づいて予め決められた開始インターレース・オフセットを利用すること。
【図１】
0005619789.tif 000002
【図２】
0005619789.tif 000003
【図３】
0005619789.tif 000004
【図４】
0005619789.tif 000005
【図５】
0005619789.tif 000006
【図６】
0005619789.tif 000007
【図７】
0005619789.tif 000008
【図８】
0005619789.tif 000009
【図９】
0005619789.tif 000010
【図１０】
0005619789.tif 000011
【図１１】
0005619789.tif 000012